(57)【特許請求の範囲】
【請求項１】
隣接する複数列をなす隣接する物品を収納するラップアラウンド物品キャリアからなり、各物品がフランジを含む上側部分を有するパッケージが、
上面パネルと、
底面パネルと、
該上面パネル及び該底面パネルに結合された対向する側面パネルと、
第１折り曲げ線で該上面パネルに結合され、そこから下向きに伸びる仕切りパネルフラップと、を有しており、
該仕切りパネルフラップは第１部分及び第２部分からなり、
該仕切りパネルフラップの該第１部分は、隣接する列をなす物品の該フランジ間に下向きに延在する仕切りタブと、上向きに延在し、該列の１つにおいて、関連する物品の該フランジの該下側と係合する第１ロック用タブとを有し、
該仕切りパネルフラップの該第２部分は、上向きに延在し、該隣接する列をなす関連する物品の該フランジの該下側と係合する第２ロック用タブを具備しており、
前記仕切りタブは離間された２つの部分からなり、前記第１折り曲げ線は、前記仕切りタブの前記離間された２つの部分に対応した離間した２つの部分からなることを特徴とするパッケージ。
【請求項２】
請求項１に記載のパッケージであって、該第２ロック用タブが該第１折り曲げ線とほぼ平行な第２折り曲げ線に沿って該仕切りタブと結合され、該第１ロック用タブが該第２折り曲げ線とほぼ整合している折り曲げ線に沿って、該第２ロック用タブに結合されていることを特徴とするパッケージ。
【請求項３】
請求項２に記載のパッケージであって、該第１ロック用タブが前記仕切りタブの該離間した２つの部分間で該第２ロック用タブに結合されていることを特徴とするパッケージ。
【請求項４】
請求項１に記載のパッケージであって、該上面パネルは形状が該仕切りパネルフラップに対応している開口部を有しており、該第１折り曲げ線は該開口部の縁部に沿って延在し、該開口部の前記縁部が該上面パネルと同じ広がり持つタブを有し、該同じ広がりを有する上面パネルタブは該第１折り曲げ線からオフセットされるように該開口部内へ内向きに延在していることを特徴とするパッケージ。
【請求項５】
請求項１に記載のパッケージであって、隣接する列の隣接する物品の該フランジは該仕切りタブの対向する側に接してることを特徴とするパッケージ。
【請求項６】
請求項５に記載のパッケージであって、該物品がタブ形であることを特徴とするパッケージ。
【請求項７】
請求項１に記載のパッケージであって、該底面パネルは、側面縁部で該側面パネルの１枚に結合された第１底面パネルフラップと、側面縁部で該対向する側面パネルと結合された第２底面パネルフラップとからなり、
該底面パネルは、該底面パネルフラップの該側面縁部とほぼ平行に延在し、該側面パネルから実質的に等しく離間したキールを有しており、
該キールは複数のキールパネルからなり、各キールパネルは折り曲げ線で隣接するキールパネルに結合されており、該キールパネルの１枚は折り曲げ線で該第１底面パネルフラップに結合されていることを特徴とするパッケージ。
【請求項８】
請求項７に記載のパッケージであって、該キールが横断面が三角形であることを特徴とするパッケージ。
【請求項９】
請求項８に記載のパッケージであって、該キールパネルが、隣接する物品の部分が延在する対向する開口部を有することを特徴とするパッケージ。
【請求項１０】
請求項９に記載のパッケージであって、該第２底面パネルフラップが該対向するキールパネル開口部と関連するキール支持用タブを有し、各キール支持用タブは該キール内側へ上向きに該三角形キールの頂部へ延在していることを特徴とするパッケージ。
【請求項１１】
隣接する複数列をなす隣接する物品を梱包するラップアラウンドキャリアを形成し、各物品がフランジを含む上側部分を有するブランクが、
内部の上面パネル部を有するほぼ長方形のシートと、
折り曲げ線で該上面パネル部の対向する側に結合された側面パネル部と、
第１折り曲げ線で該側面パネル部の１枚に結合された第１底面パネルフラップと、第２折り曲げ線で該他の側面パネル部に結合された第２底面パネルフラップと、
第１折り曲げ線で該上面パネルに結合され、該ブランクから形成されるキャリア内の物品の隣接する列の間に下向きに延在するよう配置された仕切りパネルフラップと、を具備しており、
該仕切りパネルフラップは第１及び第２部分からなり、
該仕切りパネルフラップの該第１部分は該第１折り曲げ線とほぼ平行な第２折り曲げ線で該仕切りパネルフラップの該第２部分に結合されており、
該仕切りパネルフラップの該第１部分は仕切りタブと第１ロック用タブを有しており、該仕切りパネルフラップの該第２部分は第２ロック用タブからなり、
前記仕切りタブは離間された２つの部分からなり、前記第１折り曲げ線は、前記仕切りタブの前記離間された２つの部分に対応した離間した２つの部分からなることを特徴とするブランク。
【請求項１２】
請求項１１に記載のブランクであって、該第１ロック用タブが前記仕切りタブの該離間した２つの部分間で該第２ロック用タブに結合されていることを特徴とするブランク。
【請求項１３】
請求項１１に記載のブランクであって、該第１ロック用タブはスリットにより該上面パネル部と分離されており、該仕切りパネルフラップ内へ内向きに延在する上面パネルタブを形成するように、該スリットは該第１折り曲げ線切片にほぼ平行であるが、該第１折り曲げ線よりオフセットしていることを特徴とするブランク。
【請求項１４】
請求項１１に記載のブランクであって、該第１底面パネル部は複数のキールパネル部を有し、各キールパネル部は折り曲げ線により隣接するキールパネル部に結合されていることを特徴とするブランク。
【請求項１５】
請求項１４に記載のブランクであって、横断面が三角形のキールを形成するための２つのキールパネル部を有し、該各キールパネル部が、該ブランクから形成されるキャリア内の隣接する物品の下側部分が延在する対向する開口部を有することを特徴とするブランク。
【請求項１６】
請求項１５に記載のブランクであって、該第２底面パネルフラップは該対向するキールパネル開口部と関連するキール支持タブを有し、各キール支持タブは該ブランクにより形成されるキャリアの該三角形のキール内部の頂部へ上向きに延在していることを特徴とするブランク。
【発明の詳細な説明】
発明の属する技術分野
本発明はラップアラウンド（包装用）物品キャリアに関する。特にソフト食料品を収納するタブ(tub)型のようなテーパ付き物品を梱包するラップアラウンド物品キャリアに関する。
発明の背景技術
ラップアラウンドキャリアは共通的に両端部は一部又は全部開放された設計になっている。いづれの場合も、この種キャリアには物品を中に確実に保持する手段を具備しなければならない。例えば、清涼飲料缶は、一つには堅く巻きつけられた該キャリアの張力により、又一つには缶の上下フランジとキャリアの側面パネル内の切り抜き縁部の係合によりキャリア内に保持される。このような設計は清涼飲料缶が実質的に外径が一定であり、従ってキャリアのブランクが缶に堅く巻き付けられる事実から可能になっている。
物品の寸法が一様でない時、特に物品が基底部方向にテーパが付いており、隣列の物品の基底部と間が隔てられている場合は問題がある。ソフト食料品容器に使うタイプのテーパ付きタブ型物品に使用するラップアラウンドキャリアでは、持ち上げ運搬時に該タブ型物品が動き出さないように充分堅く巻き付けることが難しいため、特にトラブルになりやすい。タブ型物品の頂部のフランジが突き出るようにキャリアに側部スロットがある場合でも容器の動きが問題であるが、それはこの構造ではタブ型物品の基底部を適所に堅く保持していないからである。各容器を隣り合う列として係合し、容器基底部が相互に動かないように、底面パネルキール(keel)を中央部に設ける方式があったが、これでも容器頂部の問題は軽減出来ていない。パッケージを上面パネルの指掛け孔で取り上げるとパッケージが中央部で幾分折れる傾向があり、これにより容器上側フランジの隣接する部分が重なり合うことがある。シングリング(shingling)として知られるこのフランジ重なり現象は容器間の好ましくない相対運動を起こし、パッケージの変形を起こさせる。
物品の基底部を安定させ、シングリングを起こさないラップアラウンドキャリアが望まれており、このようなキャリアを提供するのが本発明の目的である。
発明の概要
本発明によれば、上側フランジを有する複数の隣合う列の物品を梱包するラップアラウンドキャリアを提供する。上向き部分及び下向き部分を具備する仕切りパネルフラップがキャリアの上面パネルに折り曲げ可能に結合され、キャリア内部で下向きに延在している。フラップの上向き部分には仕切りタブがあり、該仕切りタブは隣接する列の物品のフランジ間に下向きに延在している。上向き部分もまた又上向きに延在する第１ロック用タブを有し、該ロック用タブは一つの列の物品のフランジの下側と係合している。下向き部分は上向きに延在する第２ロック用タブを備えており、該第２ロック用タブは隣接列の関連する物品のフランジの下側と係合している。
好ましい実施例では、仕切りタブは離間した切片からなり、第１ロック用タブは離間した切片間に位置しており、第２ロック用タブは第１折り曲げ線と実質的に平行な第２折り曲げ線に沿って、仕切りタブ及び第１ロック用タブに結合されている。第１ロック用タブは仕切りタブの折り曲げ可能な結合部からはオフセットされており、このことにより隣接する物品のフランジに引掛かることなく該ロック用タブはロック位置に動くことが出来る。
仕切りタブに加えて、各物品の下側を安定化するために、底面パネルから物品列間に上向きに延在するキールを備えても良い。
本キャリアは、物品が指掛け孔で引き上げられた時に、梱包物品の上側部分が動いたり、またはシングリングをしない点で非常に効果的である。本キャリアは単位ブランクから製作するのに簡単で経済的であり、テーパのあるタブ型の物品を梱包するのに特に便利である。上記及び上記以外の本発明の特徴は他の利点と共に下記の好ましい実施例の詳細な説明から容易に明らかになるであろう。
【図面の簡単な説明】
図１は本発明による仕切りタブ構造を組み合わせたラップアラウンドキャリアの全体図である。
図２は図１によるキャリアの端面図である。
図３は図１のキャリアを形成するブランクの平面図である。
図４は図３の円４の中の拡大平面図である。
図５は仕切りフラップを打ち抜いて、折り曲げた後のキャリアの上面パネル下側の部分図である。
図６は更に折り曲げ作業を実施した後のフラップを示している、図５と同様な部分図である。
図７は三角形のキール部分を示す、キャリアの底面パネルの部分図である。
図８は形成の中間段階に於けるパッケージの端面図である。
好ましい実施例の詳細の説明
図１及び図２を参照すると、２列のタブ型容器Ｔを梱包するよう設計されたラップアラウンドキャリア１０は側面パネル１６に折り曲げ線１４で結合された上面パネル１２を有している。側面パネルは、ベベルパネル１８を形成するためキャリアの底部でテーパを付けられており、ベベルには切り抜き２０があり、切り抜きからタブ型容器の底部が突き出ている。側面パネルと上面パネルとの隣接部にも切り抜き２２があり、切り抜きからタブ型容器ＴのフランジＦが延在している。必要があれば、タブ型容器の頂部及び底部の縁部を掴むために、特別に設計された切り抜きフラップのような他の仕組みを設けても良い。
キャリアの底面パネルは内側及び外側底面パネルフラップ２４及び２６を重ねることにより形成される。内側底面パネルフラップ２４は折り曲げ線２８で側面パネル１６の１枚に結合される一方、外側底面パネルフラップ２６は折り曲げ線３０で他の側面パネル１６に結合されている。底面パネルからタブ型容器の列の間を上向きに中央キール３２が延在しており、キールは終端が開放されており、断面は三角形をしている。中央キールはタブ型容器Ｔのテーパをつけた各下側の間にぴったりと嵌合し、タブ型容器が相互に動くことを防止し、キャリア用ブランクがタブ型容器に堅く巻き付くことができるようにしている。以下に更に詳細に説明するように、キールは内側底面パネルフラップ２４に一体に結合されている。
キャリア構造は上面パネル１２から下向きに延在する中央仕切りタブ３４により完成し、タブはタブ型容器の隣接する列の各フランジＦを分離、係合する。ロック用タブ３６、３８は、仕切りタブから或る角度で上向きに延在し、タブ型容器のフランジＦの下側に直接又は僅かにその下向きから対することにより、タブ上側と係合しており、その結果タブ型容器の上側は適所にロックされ、シングリングが防止されている。上面パネル１２は、仕切りタブ及びロック用タブを形成する開口部４０と、キャリアを持ち上げるため使用される指掛け孔４１を有する。図２に示すまだ述べられていない他の参照数字は後に参照される。
図３を参照すると、ここでは図１及び図２で使用されたのと同様な参照数字が同様な素子に付されており、キャリア１０を形成するためのブランク４２は適切な可撓性と強度を有するペーパボード又は他の適当な材料の実質的に長方形のシートから成っている。上面パネル部１２は該ブランクの中央近くに位置し、折り曲げ線１４で側面パネル部１６に結合されている。側面パネル部は折り曲げ線４４でベベルパネル部１８に結合されている。内側底面パネルフラップ２４は離間した２つの第１ロック用開口部４６と２つの第２ロック用スリット４８を有する一方、外側底面パネルフラップ２６はスリット５２により形成された２つの第１ロック用タブ５０と２つの第２ロック用タブ５４を有している。スリット５２の終端から延在する折り曲げ線５５は第２ロック用タブ５４を底面パネルフラップ２６に結合しており、第２ロック用タブ内の横断する折り曲げ線５６は外側タブ５８を形成している。第１ロック用タブ５０は第１ロック用開口部４６と位置が整合している一方、第２ロック用タブ部分５８は第２ロック用スリット４８と位置が整合している。
内側底面パネルフラップ２４は第１キールパネル部６０及び第２キールパネル部６４により離間した２つに部分に分けられており、第１キールパネル部６０は折り曲げ線６２で底面パネルフラップ２４の内側部に結合されており、第２キールパネル部６４は折り曲げ線６６で底面パネルフラップ２４の終端部に結合されている。第１及び第２キールパネル部は折り曲げ線６８で相互に結合されている。スリット７２により形成されている離間した２つのタブ７０が折り曲げ線６２を中断している。同じようにスリット７６で形成された相対面するタブ７４が折り曲げ線６６を中断している。更に外側底面パネルフラップ２６内にキール支持タブ７８がスリット８０で形成されている。折り曲げ線８２で底面パネルフラップ２６に結合されたタブ７８は内側底面パネルフラップ内のタブ７０及びタブ７４と位置が整合されている。図４で最も良く示されているように、上面パネル部１２内の開口部４０はフラップ８４（例えば、仕切りパネルフラップ）で覆われており、フラップ８４から頂部仕切りタブ構造が形成される。各フラップ８４は離間した折り曲げ線８６で上面パネル部に結合され、Ｕ字型スリット８５で上面パネル部から分離されており、スリットの終端は折り曲げ線８６の外側終端で終了している。内側折り曲げ線８８はフラップ８４の長さだけ延在しており、折り曲げ線８６と実質的に平行である。より小さなＵ字型スリット９０が、その終端が折り曲げ線８８と合うように形成される一方、スリットの基部は折り曲げ線８６と平行だが僅かに内側にオフセットしている。スリット８５及び折り曲げ線８８で決定されるフラップ８４の大型部はロック用タブ３６を形成し、Ｕ字型スリット９０と折り曲げ線８８で決定される小型部はロック用タブ３８を形成し、スリット８５及び９０と折り曲げ線８６及び８８で決定される小型部は離間した仕切りタブ３４を形成する。好ましくは、スリット８５基底部と折り曲げ線８８間で測ったタブ３６の長さは、スリット９０の基底部から折り曲げ線８８まで測ったタブ３８の長さと実質的に同じであるのが良い。
中央仕切りタブを実現するには、図５に図解するようにフラップ８４がブランクからうち抜かれ、ブランク外面から離れ、横断的に延在するよう、折り曲げ線８６で曲げられる。各フラップ８４の大型ロック用タブ３６は中間折り曲げ線８８で上面パネルへ向かい、フラップ８４が占めていた開口部４０から遠ざかる方向に、折り曲げられる。この動作により、小型ロック用タブ３８は仕切りタブ３４の面から外側へ動き、折り曲げ線８８に対し反対方向へ折り曲げられる。この折り曲げ作用の結果として仕切りタブ３４、ロック用タブ３６及び３８の最終位置が図６で図解されている。
パッケージを形成するには、ブランクはブランクの内面が上に向くようにして支持台上に置かれる。上面パネル部の内面上に２列のタブ型容器が逆さの姿勢で置かれるため、容器のフランジＦはフラップ８４から充分な距離だけ離間しており、これにより、上述のようにフラップを上面パネル部から打ち抜き、折り曲げることが出来る。フラップ８４のスリット９０が折り曲げ線８６（例えば、第１の折り曲げ線）から離間した距離により、ロック用タブ３８が隣りのタブ型容器のフランジに引っかからずに折り曲げられるようにされていることは図４、図５及び図６から理解出来る。同時にブランクの側面パネル部１６は垂直上向きに折り曲げられ、タブ型容器Ｔを直立した仕切りタブ３４に向かって押しつける。側面パネル部が最終相対位置に到達すると、隣接タブ型容器のフランジＦは仕切りタブ３４に当たり、折り曲げたロック用タブ３６と３８の終端は図２に図解された関係にある関連するタブ型容器のフランジの下側に接する。
梱包を完成するために、キール部６０及び６４が底面パネルフラップ２４の面から折り曲げられ、三角形キールが形成される。これにより、キールタブ７０及び７４は底面パネルフラップ２４の平面内に留まり、キールタブが元々位置していたキール部には開口部が残される。この構造は図７で図解されているが、この図によれば、キール部６４の開口部９２がこの折り曲げ作業の結果として形成されることが分かる。次いで側面パネル部がタブ型容器の回りに堅く引き起こされ、底面パネルフラップが所定位置に動かされる。図８に示すが、底面パネルフラップ２４が最初に配置されるため、三角形キール３２がタブの基底部間に配置され、容器の下側が前記キールの開口部を通して突き出る。次いで、キール支持タブ７８が打ち抜かれた後に、底面パネルフラップ２６が所定位置に移される。これによりキール支持タブ７８がキールタブ７０及び７４の離間した終端間を三角形のキールの頂点まで伸び、図２及び図７に図解する位置を占める。
底面パネル形成を完了するるために、第２ロック用タブ５４が折り曲げ線５５で折り曲げられ、第１ロック用タブ５０が第１ロック用開口部４６に挿入される。第２ロック用タブ５４の終端部５８は折り曲げられ、前記底面パネルフラップを一緒に固定するために第２ロック用スリット４８に挿入される。
タブ型容器を逆にして梱包を形成することが好ましいが、容器を正立の位置で梱包を形成することも出来ることは理解できるであろう。キャリアの設計は容器４ケを運搬するようには限定されず、隣接する２列に配列するならばより多い数の容器保持用に長さを伸ばしても良い。もし追加の容器を梱包するならば、追加指掛け孔を設けても良い。例えば各列３ケで２列の容器を梱包するならば、中央の容器と各隣接端部容器間に１ケずつ計２ケの指掛け孔を用意するのが好ましい。２ケの指掛け孔が設けられる場合は容器上側のシングリングに対する頂部仕切りタブ及びロック用タブの引き留め効果は遙かに明確になる。
タブ部分の上側及び下側両方の動きから保護すべく本発明が、テーパ付きタブ型容器を正立位置で保持するキャリアを提供することは、評価される所である。頂部中央仕切りタブが隣接タブ型容器のフランジに接するだけでなく、関連するロック用タブを有し、タブがタブ型容器の上側の好ましくないシングリングやその他の運動を防止する働きをする。キャリアは仕切りタブ及びキール構造を含むに拘わらず１枚のブランクから形成される。更にキャリアブランクは製造が経済的であり、キャリアの組立が簡単である。
本発明はタブ型物品に関連して説明して来たが、異なる型の物品を中央キールを有するラップアラウンドキャリア内に保持するために使用されても良い。本発明は好ましい実施例に関連して述べられた全ての特定詳細事項に限定されるものではなく、本発明の全体の基本機能と概念を変えずに行う実施例の或る種の変更も、請求の範囲で定義する本発明の精神や範囲内でなされるものに入ることは明らかである。
【図１】
0003828157.tif 000002
【図２】
0003828157.tif 000003
【図７】
0003828157.tif 000004
【図８】
0003828157.tif 000005
【図３】
0003828157.tif 000006
【図４】
0003828157.tif 000007
【図５】
0003828157.tif 000008
【図６】
0003828157.tif 000009